(57)【要約】【課題】両立することが難しいかつらの密集植毛と通気性の同時達成を図ること等。【解決手段】ネット地からなるベース１にヘア材１１を機械植毛してなるかつら用材であって、平面状に形成され、ネット地に形成される目９を囲繞する辺の長さに短長を設け、短辺９ａに対し長辺９ｂが略２倍に形成される。ヘア材は生え際に直交する短辺９ａにのみ植毛する。ベースの経３と緯５の交点７は固着される。目９が長方形化されるので、隙間が拡大され、密集植毛しても、通気性を確保することができる。また、隙間が拡大されるので、かつらを軽量化することが可能である。短辺にのみ植毛され、生え際となる長辺には植毛されないから、生え際が目立たない。機械植毛によるので、かつらを迅速かつ大量に、安価に製造することができる。根気と集中を要する手植え植毛作業から解放されるので、かつらの製品精度のばらつきを防止する。【選択図】図１
2019081983.tif 000002
【特許請求の範囲】
【請求項１】
ネット地からなるベースにヘア材を機械植毛してなるかつら用材であって、
平面状に形成され、
ネット地に形成される目を囲繞する辺の長さに短長を設け、短辺に対し長辺が略２倍に形成され、
上記ヘア材を生え際に直交する上記ベースの辺（短辺）にのみ植毛してなることを特徴とする機械植毛かつら用材。
【請求項２】
請求項１記載の機械植毛かつら用材において、上記ベースの経と緯の交点が固着されることを特徴とする機械植毛かつら用材。
【請求項３】
請求項１又は請求項２記載の機械植毛かつら用材において、上記短辺が経であり、長辺が緯であることを特徴とする機械植毛かつら用材。
【請求項４】
請求項３記載の機械植毛かつら用材において、上記目の短辺長が０．５ｍｍ、長辺長が０．９ｍｍであることを特徴とする機械植毛かつら用材。
【請求項５】
請求項１乃至請求項４のいずれか一記載の機械植毛かつら用材において、上記経の径が上記緯の径より大に形成されることを特徴とする機械植毛かつら用材。
【請求項６】
請求項１乃至請求項４のいずれか一記載の機械植毛かつら用材において、上記経の径と上記緯の径とが同等に形成されることを特徴とする機械植毛かつら用材。
【請求項７】
請求項１乃至請求項６のいずれか一記載の機械植毛かつら用材において、上記ヘア材が上記ネット地に多数本の針により機械植毛されることを特徴とする機械植毛かつら用材。
【請求項８】
平面状に形成されたネット地からなり、目を囲繞する辺の長さに短長を設け、短辺１に対し長辺が略２倍に形成されることを特徴とする機械植毛用ベースネット地。
【請求項９】
請求項８記載の機械植毛用ベースネット地において、上記ベースの経と緯の交点が固着されることを特徴とする機械植毛用ベースネット地。
【請求項１０】
請求項８又は請求項９記載の機械植毛用ベースネット地において、上記短辺が経であり、長辺が緯であることを特徴とする機械植毛用ベースネット地。
【請求項１１】
請求項１０記載の機械植毛用ベースネット地において、上記目の短辺長が０．５ｍｍ、長辺長が０．９ｍｍであることを特徴とする機械植毛用ベースネット地。
【請求項１２】
請求項８乃至請求項１１のいずれか一記載の機械植毛用ベースネット地において、上記経の径が上記緯の径より大に形成されることを特徴とする機械植毛用ベースネット地。
【請求項１３】
請求項８乃至請求項１１のいずれか一記載の機械植毛用ベースネット地において、上記経の径と上記緯の径とが同等に形成されることを特徴とする機械植毛用ベースネット地。
【発明の詳細な説明】
【技術分野】
【０００１】
本願発明はかつらに関し、とくに機械植毛してなる機械植毛かつら用材及び機械植毛用ベースネット地に関する。
【背景技術】
【０００２】
かつらはユーザの頭部に合わせて手植え植毛（ハンドメイド植毛といわれる）されるのが一般的である。
【０００３】
手植え植毛の場合、ユーザ（特定ユーザとなる）の頭部に合致させるため、ベースは三次元形状となる。この場合、次のようなデメリットが生ずる。まず手植えに際しては、職人が利き手を左右に回転させて植毛するため、植毛に多大の手間と時間を要し、また熟練を要する。
【０００４】
ハンドメイド植毛はこのように熟練した技術が必要な根気のいる作業であり、熟練作業のためコストアップの要因となり、また熟練者不足や未熟者の作業により品質の低下や精度のばら付きが生じている。
【０００５】
ところで、かつらをユーザ毎の頭部形状ではなく、平面状のネット地ベースから形成し、汎用性をもたせてコスト低下を図ろうとする場合、ベースが平面状であるため、利き手がベースネットに当たって効率よく作業することができない難がある。
【０００６】
また従来の平面状ネット地は、目に方向性をもたせず、例えば目が正方形又は正六角形であって各辺が均等に形成されている。このため、ヘア材を密集させて植毛する場合において、目を形小化すると、ヘア材の結び目がネット地の目を塞ぐので通気性が阻害される。他方、通気性を確保するため、目を形大化すると、ヘア材の密集植毛をすることができない。
【先行技術文献】
【特許文献】
【０００７】
【特許文献１】特開平１０−５３９１１号公報
【発明の概要】
【発明が解決しようとする課題】
【０００８】
本願発明は上記背景に鑑み、両立することが難しいかつらの密集植毛と通気性の同時達成を図ることを目的とする。
またかつらの軽量化を図り、生え際を目立たなくすることをも目的とする。
さらに、かつらを迅速かつ大量に、また、かつらの製品精度のばらつきを防止することをも目的とする。
【課題を解決するための手段】
【０００９】
上記目的達成のため、本願発明による機械植毛かつら用材は、ネット地からなるベースにヘア材を機械植毛してなるかつら用材であって、平面状に形成され、ネット地に形成される目を囲繞する辺の長さに短長を設け、短辺に対し長辺が略２倍に形成され、上記ヘア材を生え際に直交する上記ベースの辺（短辺）にのみ植毛してなることを特徴とする。
また、請求項１記載の機械植毛かつら用材において、上記ベースの経と緯の交点が固着されることを特徴とする。
また、請求項１又は請求項２記載の機械植毛かつら用材において、上記短辺が経であり、長辺が緯であることを特徴とする。
また、請求項３記載の機械植毛かつら用材において、上記目の短辺長が０．５ｍｍ、長辺長が０．９ｍｍであることを特徴とする。
また、請求項１乃至請求項４のいずれか一記載の機械植毛かつら用材において、上記経の径が上記緯の径より大に形成されることを特徴とする。
また、請求項１乃至請求項４のいずれか一記載の機械植毛かつら用材において、上記経の径と上記緯の径とが同等に形成されることを特徴とする。
また、請求項１乃至請求項６のいずれか一記載の機械植毛かつら用材において、上記ヘア材が上記ネット地に多数本の針により機械植毛されることを特徴とする。
また、本願発明による機械植毛用ベースネット地は、平面状に形成されたネット地からなり、目を囲繞する辺の長さに短長を設け、短辺１に対し長辺が略２倍に形成されることを特徴とする。
また、請求項８記載の機械植毛用ベースネット地において、上記ベースの経と緯の交点が固着されることを特徴とする。
また、請求項８又は請求項９記載の機械植毛用ベースネット地において、上記短辺が経であり、長辺が緯であることを特徴とする。
また、請求項１０記載の機械植毛用ベースネット地において、上記目の短辺長が０．５ｍｍ、長辺長が０．９ｍｍであることを特徴とする。
また、請求項８乃至請求項１１のいずれか一記載の機械植毛用ベースネット地において、上記経の径が上記緯の径より大に形成されることを特徴とする。
また、請求項８乃至請求項１１のいずれか一記載の機械植毛用ベースネット地において、上記経の径と上記緯の径とが同等に形成されることを特徴とする。
【発明の効果】
【００１０】
本願発明による機械植毛かつら用材によれば、ネット地の目が長方形化され、短辺に対し長辺が略２倍に形成されるので、隙間が拡大され、密集植毛しても、通気性を確保することができる。換言すれば、両立することが困難であった密集植毛と通気性の同時達成をすることができる。
【００１１】
また、このように目を長方形化するため、隙間が拡大されるので、ヘア材の密集植毛を可能とするにもかかわらず、かつらを軽量化することが可能である。
【００１２】
また短辺にのみ植毛され、生え際となる長辺には植毛されないから、生え際が目立たない効果がある。かつらにとって生え際つまり顔の正面に位置する植毛ラインは重要であり、密集植毛の際、この植毛ラインに多くのヘア材の植毛をするのは目立つことになるため、これが回避されるからである。
【００１３】
さらに、本願発明による機械植毛かつら用材によれば、機械植毛により高級かつらと同等のかつらを迅速かつ大量に、さらに安価に製造することができる。また根気と集中を要する手植え植毛作業から解放されるので、かつらの製品精度のばらつきを防止する効果がある。
【００１４】
請求項２による機械植毛かつら用材によれば、上記ベースの経と緯の交点が固着されるので、多針植毛を可能にする効果がある。即ち、平面状に形成されるネット地からなるベースはふにゃふにゃなので、機械植毛の場合針がずれ易く、針の位置制御が困難であるところ、本願発明による機械植毛かつら用材においては、かかるベースに多数本の針が同時に挿通されるため、ソフトなネット素材の方向性が規制され、植毛時にずれ易いネット地素材への針を正しい位置にキープすることができる。
【００１５】
また、交点を固着したヘア材のネット地を３次元形状に形成する場合、一般にネット地全体が変形に対し逃げ場がなくなるため、ベースが硬くなって風合いを損ねるおそれがあるところ、本願発明による機械植毛かつら用材ではネット地に形成される目を囲繞する辺の長さに１対略２の短長が設けられ、カスタマイズ化に際し、目が１対２の長方形に形成されるため、交点が固着されても球体整形し易く、また球体整形時に多少の誤差が生じたとしても、不均等辺による目に吸収されるため、ゴツゴツ感がなく、ユーザのフィット感を得やすい効果がある。
【００１６】
請求項３による機械植毛かつら用材によれば、上記短辺が経であり、長辺が緯であり、経の短辺にヘア材が植毛されるので、生え際が一層目立たない効果がある。
【００１７】
請求項４による機械植毛かつら用材によれば、上記目の短辺長が０．５ｍｍ、長辺長が０．９ｍｍであるので、上記した密集植毛と通気性の同時達成効果や軽量化効果等のバランスをとることが一層良好となる。
【００１８】
請求項５による機械植毛かつら用材によれば、上記経の径が上記緯の径より大に形成されるので、生え際ラインとなる緯を細くすることができるから、生え際が一層目立ち難い効果がある。また植毛される側の経を太くすることができることから、密集植毛しても生え際が一層目立たない効果がある。
【００１９】
請求項６による機械植毛かつら用材によれば、上記経の径と上記緯の径とが同等に形成されるので、ベースとなるネット地構成の複雑化を阻止することが一層良好となる。
【００２０】
請求項７による機械植毛かつら用材によれば、上記ヘア材が上記ネット地に多数本の針により機械植毛されるので、かつらの量産を一層図ることができる。
【００２１】
請求項８による機械植毛用ベースネット地によれば、ネット地の目が長方形化され、短辺に対し長辺が略２倍に形成され、隙間が拡大されるので、かつらとした場合、密集植毛しても、通気性を確保することができる。換言すれば、両立することが困難であったかつらの密集植毛と通気性の同時達成をすることができる。
【００２２】
また、このように目を長方形化するため、隙間が拡大されるので、かつらヘア材の密集植毛を可能とするにもかかわらず、かつらを軽量化することが可能である。
【００２３】
またかつらとした場合、短辺にのみ植毛され、生え際となる長辺には植毛されないから、生え際が目立たない効果がある。かつらにとって生え際つまり顔の正面に位置する植毛ラインは重要であり、密集植毛の際、この植毛ラインに多くのヘア材の植毛をするのは目立つことになるため、これが回避されるからである。
【００２４】
さらに、請求項８による機械植毛用ベースネット地によれば、機械植毛により高級かつらと同等のかつらを迅速かつ大量に、さらに安価に製造することができる。また根気と集中を要する手植え植毛作業から解放されるので、かつらの製品精度のばらつきを防止する効果がある。
【００２５】
請求項９による機械植毛用ベースネット地によれば、上記ベースの経と緯の交点が固着されるので、多針植毛を可能にする効果がある。即ち、平面状に形成されるネット地からなるベースはふにゃふにゃなので、機械植毛の場合針がずれ易く、針の位置制御が困難であるところ、本願発明による機械植毛用ベースネット地においては、かかるベースに多数本の針が同時に挿通されるため、ソフトなネット素材の方向性が規制され、植毛時にずれ易いネット地素材への針を正しい位置にキープすることができる。
【００２６】
また、交点を固着したヘア材のネット地を３次元形状に形成する場合、一般にネット地全体が変形に対し逃げ場がなくなるため、ベースが硬くなって風合いを損ねるおそれがあるところ、本願発明による機械植毛用ベースネット地ではネット地に形成される目を囲繞する辺の長さに１対略２の短長が設けられ、カスタマイズ化に際し、目が１対２の長方形に形成されるため、交点が固着されても球体整形し易く、また球体整形時に多少の誤差が生じたとしても、不均等辺による目に吸収されるため、ゴツゴツ感がなく、ユーザのフィット感を得やすい効果がある。
【００２７】
請求項１０による機械植毛用ベースネット地によれば、上記短辺が経であり、長辺が緯であり、経の短辺にヘア材が植毛されるので、かつらとした場合、生え際が一層目立たない効果がある。
【００２８】
請求項１１による機械植毛用ベースネット地によれば、上記目の短辺長が０．５ｍｍ、長辺長が０．９ｍｍであるので、かつらとした場合、上記した密集植毛と通気性の同時達成効果や軽量化効果等のバランスをとることが一層良好となる。
【００２９】
請求項１２による機械植毛用ベースネット地によれば、上記経の径が上記緯の径より大に形成されるので、生え際ラインとなる緯を細くすることができるから、かつらとした場合、生え際が一層目立ち難い効果がある。また植毛される側の経を太くすることができることから、密集植毛しても生え際が一層目立たない効果がある。
【００３０】
請求項１３による機械植毛用ベースネット地によれば、上記経の径と上記緯の径とが同等に形成されるので、かつら用ベースとなるネット地構成の複雑化を阻止することが一層良好となる。
【図面の簡単な説明】
【００３１】
【図１】（Ａ）は本願発明による機械植毛かつら用材の実施の形態を示す一部省略概略斜視図、（Ｂ）は（Ａ）のＢ部拡大図である。
【図２】本願発明による機械植毛用ベースネット地の実施の形態を示す図であり、図１のＩＩ部拡大図である。
【図３】（Ａ）はベースへのヘア材の植毛例を示す拡大図、（Ｂ）は同他の実施例を示す拡大図、（Ｃ）は同さらに他の実施例を示す拡大図である。
【図４】図２のＩＶ部拡大図である。
【図５】従来例を示す比較図である。
【発明を実施するための形態】
【００３２】
図１は本願発明による機械植毛かつら用材及び機械植毛用ベースネット地の実施の形態を示す。なお、便宜上同一の機能を奏する部分には同一の符号を付してその説明を省略する。
【００３３】
１は機械植毛かつら用材２のベースであり、ポリアミド系合成繊維からなる経３及びポリアミド系合成繊維からなる緯５が織成されたネット地からなる。該ベース１は平面状に形成され、交点７がホットメルトにより熔着されている。９は長方形に形成される目であり、囲繞する辺の長さに短長を設け、短辺９ａに対し長辺９ｂが略２倍に形成される。ユーザの生え際（図示せず）に直交する辺を短辺９ａとし、生え際に沿う辺を長辺９ｂとする。１１はポリエステル繊維、ポリアミド系合成繊維あるいは人毛等からなるヘア材であり、上記短辺９ａにのみ植毛される。
【００３４】
図２を参照して、上記ベース１のネット地構成の詳細を説明する。経３と緯５とにより囲繞された部分に目９が形成される。本実施例では、各目９の短辺の長さは０．５ｍｍ、長辺の長さは略２倍の０．９ｍｍに形成される。また経３の太さは緯５の太さより径大に形成される。本実施例では、経３が１３０μｍであり、緯５が１１０μｍである。経３と緯５の交点７の固着の程度は完全に熔着されることが望ましいが、部分的な熔着でも足りる。
【００３５】
上記構成のベース１に上記したヘア材１１を植毛する。図３は植毛の一例を示す。便宜上、ヘア材１１の長さを短く図示する。図３（Ａ）に示すように、連続する目９のすべての短辺９ａに連続してヘア材１１を植毛してもよいし、図３（Ｂ）（Ｃ）に示すように、断続的にヘア材１１を植毛してもよい。断続的植毛の態様はユーザの状況に対応して適宜に選択される。図３（Ｂ）は１目おきの短辺９ａにヘア材１１を植毛する場合、図３（Ｃ）は１目おきに２目連続して植毛する場合である。また、図３（Ｂ）及び同（Ｃ）は次列毎に１目ずつ繰り下がって植毛する場合（１目飛ばし）をも示す。この外、例えば、１目おきを２目おきとしたり、またその組み合わせでもよく、また１目飛ばしを２目飛ばしとしたり、またその組み合わせでもよい。植毛されるヘア材１１は１箇所につき自由端１１ａが１本となるＶ字結束であっても、複数本となる結束であってもよく、その組み合わせでもよい。図示例は後者であり、図１（Ｂ）は自由端１１ａが２本となるＷ字結束である。
【００３６】
このように構成された機械植毛かつら用材２は、平面状に形成されたまま、汎用性のある在庫品として保管される。そして需要に応じユーザの頭部形状に合うよう３次元形状にカスタマイズ化され、かつらとして使用される。
【００３７】
本願発明においてはネット地の目９が長方形化され、短辺９ａに対し長辺９ｂが略２倍に形成されるので、隙間が拡大され、ヘア材１１を密集植毛しても、通気性を確保することができる。よって、密集植毛と通気性の同時達成をすることができる。
【００３８】
この点を図４及び図５を参照して説明すると、図４に示すように、本願発明においては、カスタマイズ化に際し、目９が１対２の長方形に形成されるため、交点７が固着されていても球体整形し易く、また球体整形時に多少の誤差が生じたとしても、不均等の短辺９ａ及び長辺９ｂによる目９に吸収される。これに対し、図５に示す比較例においては、目９´を形成する経３´及び緯５´の各辺９１ａ、９１ｂが均等であるため、交点７´が固着されるとネット地全体が変形に対し逃げ場がなくなるため、ベース１´が硬くなる。このため、図４及び図５を見比べれば明らかなように、経３は緯５に比し約５０％減となり、同一面積中における空隙スペースが本願発明の方が比較例に比し圧倒的に大となる。よって、本願発明においては密集植毛しても通気性を確保することができるのである。
【００３９】
また、このように目９を長方形化するため、隙間が拡大されるので、ヘア材１１の密集植毛を可能とするにもかかわらず、機械植毛かつら用材２ひいてはかつらを軽量化することが可能である。
【００４０】
また短辺９ａにのみ植毛され、生え際となる長辺９ｂには植毛されないから、生え際が目立たない効果がある。かつらにとって生え際つまり顔の正面に位置する植毛ラインは重要であり、密集植毛の際、この植毛ラインに多くのヘア材１１の植毛をするのは目立つことになるため、これが回避されるからである。
【００４１】
さらに、根気と集中を要する手植え植毛作業から解放されるので、かつらの製品精度のばらつきを防止する効果がある。
【００４２】
次に、上記ベース１の経３と緯５の交点７が固着されるので、多針植毛を可能にする効果がある。即ち、平面状に形成されるネット地からなるベース１はふにゃふにゃなので、機械植毛の場合針がずれ易く、針の位置制御が困難であるところ、本願発明による機械植毛かつらにおいては、かかるベース１に多数本の針が同時に挿通されるため、ソフトなネット素材の方向性が規制され、植毛時にずれ易いネット地素材への針を正しい位置にキープすることができる。
【００４３】
また、交点７を固着したヘア材１１のネット地を３次元形状に形成する場合、一般にネット地全体が変形に対し逃げ場がなくなるため、ベース１が硬くなって風合いを損ねるおそれがあるところ、本願発明ではネット地に形成される目９を囲繞する辺の長さに１対略２の短長が設けられ、カスタマイズ化に際し、目９が１対２の長方形に形成されるため、交点７が固着されていても球体整形し易く、また球体整形時に多少の誤差が生じたとしても、不均等辺による目９に吸収されるため、ゴツゴツ感がなく、ユーザのフィット感を得やすい効果がある。
【００４４】
また太径で長さが短い経３の短辺９ａにヘア材１１が植毛されるので、密集植毛しても植毛の糸（経３）にかかる負担があまりなく、一方、生え際に沿う緯５には植毛されないから、生え際が一層目立たない効果がある。この場合、経３と緯５とが短辺長が０．５ｍｍ、長辺長が０．９ｍｍの目９に形成されるときは、上記した密集植毛と通気性の同時達成効果や軽量化効果等のバランスをとることが一層良好となる。
【００４５】
本実施の形態によれば、上記経３の径が上記緯５の径より大に形成されるので、生え際ラインとなる緯５を細くすることができるから、生え際が一層目立ち難い効果がある。また植毛される側の経３を太くすることができることから、密集植毛しても生え際が一層目立たない効果がある。
【００４６】
このように、上記実施の形態によれば、機械植毛により高級かつらと同等のかつらを迅速かつ大量に、安価に製造することができる。
【００４７】
ところで、従来の平面状ネット地を３次元形状にするには、３次元形状の型にネット地を被冠させ加熱熔着をしていたため、作業時間と手間及びコスト高となっていた。予め交点を固着しておくと目が均等に形成されているために、３次元形状化が困難となっていたからである。しかしながら、本願発明においては、前記したように交点７が固着されていても球体整形し易いため、３次元形状化を瞬時になすことができ、作業時間と手間が短縮化され、かつ、大なるコスト削減効果がある。
【００４８】
本願発明は上記した実施の形態に制限されない。例えば、経３の径と緯５の径とは同大に形成されても、カスタマイズ化に際し、目９が１対２の長方形に形成されるため、交点７が固着されていても球体整形し易い効果が上記実施の形態と同等であり、また球体整形時に多少の誤差が生じたとしても、不均等辺による目９に吸収されるため、ゴツゴツ感がなく、ユーザのフィット感を得やすい効果も同等である。よって、このように経３の径と緯５の径とが同等に形成される場合は、ベース１となるネット地構成の複雑化を阻止することができるので、望ましい。
【００４９】
また本願発明による機械植毛かつら用材及び機械植毛用ベースネット地は、かつら全部としての適用も、部分的な適用も可能である。
【産業上の利用可能性】
【００５０】
本願発明はかつらの全部又は／及び一部に活用することができる。
【符号の説明】
【００５１】
１      ベース
２      機械植毛かつら用材
３      経
５      緯
７      交点
９      目
９ａ    短辺
９ｂ    長辺
１１    ヘア材
【図１】
2019081983.tif 000003
【図２】
2019081983.tif 000004
【図３】
2019081983.tif 000005
【図４】
2019081983.tif 000006
【図５】
2019081983.tif 000007